(57)【要約】【課題】ラチェット工具のラチェット噛み合わせ装置を提供する。【解決手段】本発明のラチェット工具のラチェット噛み合わせ装置の２種の異なる実施例を有し、主にラチェットソケット外側にリング部を設置し、リング部の何れかの一側又は両側に歯列を環設し、更に、ラチェットソケットに被せ設ける歯環盤に設置される列歯が相互に噛み合い、噛み合う力が弾性部材の設置によって弾性係止の力を提供し、列歯と歯列の間の常態的噛み合わせを維持し、最後に密封蓋の組み立てにより内部部品の脱落を防止し、従って、ラチェットソケットにより弾性部材、歯環盤及び密封蓋を組み合わせ、操作中のラチェットソケットの歯列を各歯環盤の列歯と安定して噛み合わせることができ、且つギア滑り音を発生し、使用者に方向転換の状況を認識させることができ、更に全体の重量を軽減し、組み立てを便利にし、操作を簡易にする。【選択図】図１
2017511261.tif 000002
【特許請求の範囲】
【請求項１】
一端が組孔を貫通設置するラチェットレンチ体と、
ラチェットレンチ体の組孔内に取り付けられ、ラチェットソケット、少なくとも１つの歯環盤、少なくとも１つの弾性部材及び少なくとも１つの密封蓋を含む係止部材と、
を含み、そのうち、該ラチェットソケットは、上面から底面まで貫通する駆動孔を設け、且つラチェットソケット外周側にリング部を凸伸し、該リング部の上、底両側中の何れか一側に歯列を更に環状に凸設し、該少なくとも１つの歯環盤は、ラチェットソケットに被せ設けられ、且つ対応するリング部は、歯列の一側に設けられ、該少なくとも１つの歯環盤が歯列の一側に対応して更に列歯を設け、該列歯は、互いに対応する歯列と相互と噛み合い、該少なくとも１つの密封蓋は、ラチェットソケットに被せ設けられ、且つ該少なくとも１つの歯環盤に対応し、該少なくとも１つの密封蓋は、組孔の孔口を遮閉し、該少なくとも１つの弾性部材は、ラチェットソケットに取り付けられ且つ歯環盤の一端に設けられ、該少なくとも１つの弾性部材の両端は、それぞれ密封蓋及び歯環盤に弾性係止され、歯環盤の列歯を弾性係止し、リング部の歯列と噛み合うラチェット工具のラチェット噛み合わせ装置。
【請求項２】
前記ラチェットソケットのリング部の歯列は、複数の歯ブロックが相互に配列されて構成され、各歯ブロックは、リング部に沿って囲うように設置され、且つ各歯ブロックは、直角三角形を呈し、また、各歯ブロックの並列配列接続は、複数のピーク山と複数のピーク谷を形成し、各ピーク山及びピーク谷は、間隔を呈して配列され請求項１に記載のラチェット工具のラチェット噛み合わせ装置。
【請求項３】
前記少なくとも１つの歯環盤が弾性部材の弾性係止する一側に対応して更に位置決めリングを延伸し、該少なくとも１つの弾性部材の一端は、位置決めリングの外周側に環状に固定され、歯環盤に係止される請求項１に記載のラチェット工具のラチェット噛み合わせ装置。
【請求項４】
前記組孔の孔壁が複数の弧溝を凹設し、該少なくとも１つの歯環盤の周側が孔組の孔壁の各弧溝に対応して複数の弧凸ブロックを凸設し、該少なくとも１つの歯環盤の各弧凸ブロックが各弧溝に係止され、該少なくとも１つの歯環盤の回転方向を制限固定する請求項１に記載のラチェット工具のラチェット噛み合わせ装置。
【請求項５】
一端が組孔を貫通設置するラチェットレンチ体と、
ラチェットレンチ体の組孔内に取り付けられ、ラチェットソケット、２つの歯環盤、２つの弾性部材及び２つの密封蓋を含む係止部材と、
を含み、そのうち、該ラチェットソケットは、上面から底面まで貫通する駆動孔を設け、且つラチェットソケット外周側にリング部を凸伸し、該リング部の上、底両側に歯列を更に環状に凸設し、各歯環盤は、それぞれラチェットソケットの両端に被せ設けられ、且つ各歯環盤が各歯列の一側に対応して更に列歯を設け、各列歯は、互いに対応する歯列と相互と噛み合い、各密封蓋は、ラチェットソケットの両端に被せ設けられ、組孔の両端の孔口を遮閉し、各弾性部材は、それぞれラチェットソケットの両端に設けられ、且つ各弾性部材の両端は、それぞれ同一側の密封蓋及び歯環盤に弾性係止され、歯環盤の列歯を弾性係止し、リング部の歯列と噛み合うラチェット工具のラチェット噛み合わせ装置。
【請求項６】
前記ラチェットソケットのリング部の歯列は、複数の歯ブロックが相互に配列されて構成され、各歯ブロックは、リング部に沿って囲うように設置され、且つ各歯ブロックは、直角三角形を呈し、また、各歯ブロックの並列配列接続は、複数のピーク山と複数のピーク谷を形成し、各ピーク山及びピーク谷は、間隔を呈して配列され、リング部上、底両側の歯列の各歯ブロックは、相互に揃えられて設置される請求項５に記載のラチェット工具のラチェット噛み合わせ装置。
【請求項７】
前記ラチェットソケットのリング部の各歯列は、複数の歯ブロックが相互に配列されて構成され、各歯ブロックは、リング部に沿って環状に設置され、且つ各歯ブロックは、直角三角形を呈し、各歯ブロックの並列配列接続は、複数のピーク山と複数のピーク谷を形成し、各ピーク山及びピーク谷は、間隔を呈して配列され、リング部上、底両側の歯列の各歯ブロックは、互い違いに設置される請求項５に記載のラチェット工具のラチェット噛み合わせ装置。
【請求項８】
各歯環盤が弾性部材の弾性係止する一側に対応して更に位置決めリングを延伸し、各弾性部材の一端は、位置決めリングの外周側に環状に固定され、歯環盤に係止される請求項５に記載のラチェット工具のラチェット噛み合わせ装置。
【請求項９】
前記ラチェットレンチ体の組孔の内壁且つ両端の孔口付近に更にそれぞれ凹溝を環設し、各密封蓋の外周側の対応する凹溝は、嵌合溝を環状に凹設し、更に、２つのバックルを設け、それぞれ嵌合溝内に取り付け、且つ局部が嵌合溝から露出され、バックルの露出した部分が凹溝内に嵌合される請求項５に記載のラチェット工具のラチェット噛み合わせ装置。
【請求項１０】
前記組孔の孔壁が複数の弧溝を凹設し、各歯環盤の周側が孔組の孔壁の各弧溝に対応して複数の弧凸ブロックを凸設し、各歯環盤の各弧凸ブロックが各弧溝に係止され、各歯環盤の回転方向を制限固定する請求項５に記載のラチェット工具のラチェット噛み合わせ装置。
【発明の詳細な説明】
【技術分野】
【０００１】
本発明は、ラチェット工具のラチェット噛み合わせ装置に関し、特に、手動工具類の案連技術の応用であり、その特徴は、噛み合わせ方向の変化によって、操作上の噛み合わせの安定性及び固定力を提供し、且つ組成上の煩雑さを減少し、ギア滑り音を発生し、使用者に方向変更させるかを知覚させることにあり、実質性が良好な発明となっている。
【背景技術】
【０００２】
現在の手動工具は、科学技術の進歩に伴って多くの異なる機能的な設計があり、そのうち、多くの手動工具は、レンチ類の使用量が最も多く、レンチ工具について述べれば、レンチの設計は、螺合部材を引き動かすことが容易であるか、各種螺子部材に適用できるかが重要な要素である。
【０００３】
市場のレンチの種類は多く、異なる用途に応じて異なる構造形態を有し、先ず、台湾専利公告第４６２３２０号「レバートリガ式サイレントレンチ構造」は、ラチェットと、一端に枢着部を設け、該ラチェットの近隣位置に設けられる駆動柄と、を含み、該枢着部の一側が上向きにクラッチブロックを円弧延伸形成し、該クラッチ部六の弧形内側縁に複数のラチェットから構成されるラチェット面を設け、該ラチェットと噛み合わせ、位置決めソケット及び保護蓋の二者は、対応して合わさりラチェット及び駆動柄の枢着ブロックをその中に係止位置決めさせ、枢着部材は、該位置決めソケット、保護蓋及び駆動柄の枢着部を枢着固定させ、且つ該駆動柄を、該枢着部材を円心として回転させ、該駆動柄を引き動かし、そのクラッチブロックを該ラチェットに寄せ合わせ、ラチェット面とラチェットを噛み合わせ、該駆動柄は、該ラチェットの回転を連動してワークを駆動回転させ、もう1つの方向へ該駆動柄を引き動かし、該クラッチブロックのラチェット面をラチェットと分離させ、該駆動柄は、枢着部材を円心として空回りする。
【０００４】
前記「レバートリガ式サイレントレンチ構造」は、市場でよく見られるレンチの一つであり、それは、使用者が操作を行う過程で、ギア滑りの音を減少し、静音の目的を達成し、また、更に、好適な組み立て、レンチトルクの増加等の特性を提供することができる。但し、レンチがギア滑りで音声がない時、使用者がレンチ内のラチェットの回転方向を識別することができず、使用者が憶測の方式で必要な操作の回転方向を確定することが必要となる。
【０００５】
また、台湾専利公告第Ｍ２４１１６８号「キャップ口部の構造改良（二）」を参照すると、それは、主に、ナットに被せ設けるキャップ口部内縁の円弧凸面及び円弧凸面の間の幅を縮小し、２つの円弧凸面の幅を収容欠き口の幅より小さくし、内向きに凹む内八状設計を形成し、内八状設計を呈する円弧凸面により、ナットと接する面の係止面積を増加し、それがナットを引き動かす時に不要な空回りの欠損を発生することがなく、狭い空間での使用に有利であり、同時に円弧凸面とナット係止面の面積により、引き動かく力を増加し、ナットが滑る現象を発生することを防止し、それは、確かに産業利用価値を相当に有する考案である。
【０００６】
前記「キャップ口部の構造改良（二）」の主な目的は、レンチ本体に空回りの発生を低減させ、良好な噛み合わせ力を維持し、ナットの引き動かしの過程で滑り現象の発生を防止する効果を達成する。但し、この種のレンチは、係止ブロックと歯部の間の噛み合わせにおいて、ただ係止ブロック上の僅かな歯距離によって操作上のトルクを受け、長期使用において、係止ブロックの歯に摩耗を発生させ、且つ一定の長さを摩耗した後、係止ブロックは、歯部としっかりと噛み合うことができなくなり、最後にレンチ全体が継続使用できなくなる。
【０００７】
上記２種のレンチに記載される欠陥を総合し、ギア滑りの音がないことで使用者が回転の方向を明確に識別できないことを招くこと、一般のラチェットの回転方向を制御する係止ブロックの設置では、確実に安定した噛み合わせができず、空回り等の問題を発生し易いことによって、関連業者は、如何に改善し、現在の市場のレンチに上記の欠陥をもたせなくするかを再度思考する必要がある。上記に挙げる技術が有する欠陥に鑑み、本発明者は、多くの時間を関連知識の研究に投じ、各項の優劣を比較し、且つ関連製品の研究及び開発を行い、多くの実験及び試験を経て、ようやく『ラチェット工具のラチェット噛み合わせ装置』を開発しており、即ち、上記設笑みの欠陥を解決するものとして大衆の要する使用に適合するものとなっている。
【先行技術文献】
【特許文献】
【０００８】
【特許文献１】実用新案登録第３１４２４４３号公報
【発明の概要】
【発明が解決しようとする課題】
【０００９】
本発明の目的は、使用者がギア滑りの音によってラチェットの回転方向を識別することができ、且つ構造の組成を大幅に減少し、レンチ全体の重量を軽減し、また、更に、組み立てが簡単であり、操作に便利であり、噛み合わせが安定して確実である等の特性を達成し、従来技術が有する欠陥、即ち、ギア滑り状況で音がない場合に使用者がラチェットの回転方向を明確に識別できず、必ず目視の方式でレンチの細く小さい標示を見て初めて認識でき、作業時間を増長し、更に誤判断の状況を発生する可能性があり、また、一般のラチェットを噛み合わせる係止ブロックの設計によって、わずかな歯の距離でラチェットを噛み合わせているだけであり、この種の方式は係止ブロックが大きなトルクを受けることができず、係止ブロック上の歯が徐々に摩耗され、最終的に、確実で安定したラチェットの噛み合わせができなくなり、部品交換又はレンチ全体を淘汰交換しなければならない等の欠陥を改善することである。
【課題を解決するための手段】
【００１０】
そこで、本発明は、上記の多くの欠陥を改善し、前記目的及び効果を達成する為。２種の異なる実施形態を有し、第１種は、本発明のラチェット工具のラチェット噛み合わせ装置であり、それは、一端が組孔を貫通設置するラチェットレンチ体と、ラチェットレンチ体の組孔内に取り付けられ、ラチェットソケット、少なくとも１つの歯環盤、少なくとも１つの弾性部材及び少なくとも１つの密封蓋を含む係止部材と、を含み、そのうち、該ラチェットソケットは、上面から底面まで貫通する駆動孔を設け、且つラチェットソケット外周側にリング部を凸伸し、該リング部の上、底両側中の何れか一側に歯列を更に環状に凸設し、該少なくとも１つの歯環盤は、ラチェットソケットに被せ設けられ、且つ対応するリング部は、歯列の一側に設けられ、該少なくとも１つの歯環盤が歯列の一側に対応して更に列歯を設け、該列歯は、互いに対応する歯列と相互と噛み合い、該少なくとも１つの密封蓋は、ラチェットソケットに被せ設けられ、且つ該少なくとも１つの歯環盤に対応し、該少なくとも１つの密封蓋は、組孔の孔口を遮閉し、該少なくとも１つの弾性部材は、ラチェットソケットに取り付けられ且つ歯環盤の一端に設けられ、該少なくとも１つの弾性部材の両端は、それぞれ密封蓋及び歯環盤に弾性係止され、歯環盤の列歯を弾性係止し、リング部の歯列と噛み合い、そのうち、ラチェットソケットにより弾性部材、歯環盤及び密封蓋を組み合わせ、操作中のラチェットソケットの歯列を各歯環盤の列歯と安定して噛み合わせることができ、且つギア滑り音を発生し、使用者に方向転換の状況を認識させることができ、更に全体の重量を軽減し、組み立てを便利にし、操作を簡易にする。
【００１１】
本発明の第１実施例の更なる技術特徴は、該ラチェットソケットのリング部の歯列は、複数の歯ブロックが相互に配列されて構成され、各歯ブロックは、リング部に沿って囲うように設置され、且つ各歯ブロックは、直角三角形を呈し、また、各歯ブロックの並列配列接続は、複数のピーク山と複数のピーク谷を形成し、各ピーク山及びピーク谷は、間隔を呈して配列されることにある。
【００１２】
本発明の第１実施例の更なる技術特徴は、該少なくとも１つの歯環盤が弾性部材の弾性係止する一側に対応して更に位置決めリングを延伸し、該少なくとも１つの弾性部材の一端は、位置決めリングの外周側に環状に固定され、歯環盤に係止されることにある。
【００１３】
本発明の第１実施例の更なる技術特徴は、該組孔の孔壁が複数の弧溝を凹設し、該少なくとも１つの歯環盤の周側が孔組の孔壁の各弧溝に対応して複数の弧凸ブロックを凸設し、該少なくとも１つの歯環盤の各弧凸ブロックが各弧溝に係止され、該少なくとも１つの歯環盤の回転方向を制限固定することにある。
【００１４】
第２種は、本発明のラチェット工具のラチェット噛み合わせ装置であり、それは、一端が組孔を貫通設置するラチェットレンチ体と、ラチェットレンチ体の組孔内に取り付けられ、ラチェットソケット、２つの歯環盤、２つの弾性部材及び２つの密封蓋を含む係止部材と、を含み、そのうち、該ラチェットソケットは、上面から底面まで貫通する駆動孔を設け、且つ外周側にリング部を凸伸し、該リング部の上、底両側に歯列を更に環状に凸設し、各歯環盤は、それぞれラチェットソケットの両端に被せ設けられ、且つ各歯環盤が各歯列の一側に対応して更に列歯を設け、各列歯は、互いに対応する歯列と相互と噛み合い、各密封蓋は、ラチェットソケットの両端に被せ設けられ、組孔の両端の孔口を遮閉し、各弾性部材は、それぞれラチェットソケットの両端に設けられ、且つ各弾性部材の両端は、それぞれ同一側の密封蓋及び歯環盤に弾性係止され、歯環盤の列歯を弾性係止し、リング部の歯列と噛み合い、そのうち、ラチェットソケットにより上下弾性部材、歯環盤及び密封蓋を組み合わせ、操作中のラチェットソケットの歯列を各歯環盤の列歯と安定して噛み合わせることができ、且つギア滑り音を発生し、使用者に方向転換の状況を認識させることができ、更に全体の重量を軽減し、組み立てを便利にし、操作を簡易にする。
【００１５】
本発明の第２実施例の更なる技術特徴は、該ラチェットソケットのリング部の歯列は、複数の歯ブロックが相互に配列されて構成され、各歯ブロックは、リング部に沿って囲うように設置され、且つ各歯ブロックは、直角三角形を呈し、また、各歯ブロックの並列配列接続は、複数のピーク山と複数のピーク谷を形成し、各ピーク山及びピーク谷は、間隔を呈して配列され、リング部上、底両側の歯列の各歯ブロックは、相互に揃えられて設置されることにある。
【００１６】
本発明の第２実施例の更なる技術特徴は、該ラチェットソケットのリング部の各歯列は、複数の歯ブロックが相互に配列されて構成され、各歯ブロックは、リング部に沿って環状に設置され、且つ各歯ブロックは、直角三角形を呈し、各歯ブロックの並列配列接続は、複数のピーク山と複数のピーク谷を形成し、各ピーク山及びピーク谷は、間隔を呈して配列され、リング部上、底両側の歯列の各歯ブロックは、互い違いに設置されることにある。
【００１７】
本発明の第２実施例の更なる技術特徴は、各歯環盤が弾性部材の弾性係止する一側に対応して更に位置決めリングを延伸し、各弾性部材の一端は、位置決めリングの外周側に環状に固定され、歯環盤に係止されることにある。
【００１８】
本発明の第２実施例の更なる技術特徴は、該ラチェットレンチ体の組孔の内壁且つ両端の孔口付近に更にそれぞれ凹溝を環設し、各密封蓋の外周側の対応する凹溝は、嵌合溝を環状に凹設し、更に、２つのバックルを設け、それぞれ嵌合溝内に取り付け、且つ局部が嵌合溝から露出され、バックルの露出した部分が凹溝内に嵌合されることにある。
【００１９】
本発明の第２実施例の更なる技術特徴は、該組孔の孔壁が複数の弧溝を凹設し、各歯環盤の周側が孔組の孔壁の各弧溝に対応して複数の弧凸ブロックを凸設し、各歯環盤の各弧凸ブロックが各弧溝に係止され、各歯環盤の回転方向を制限固定することにある。
【発明の効果】
【００２０】
本発明のラチェット工具のラチェット噛み合わせ装置の２種の異なる実施例を有し、主にラチェットソケット外側にリング部を設置し、リング部の何れかの一側又は両側に歯列を環設し、更に、ラチェットソケットに被せ設ける歯環盤に設置される列歯が相互に噛み合い、噛み合う力が弾性部材の設置によって弾性係止の力を提供し、列歯と歯列の間の常態的噛み合わせを維持し、最後に密封蓋の組み立てにより内部部品の脱落を防止し、従って、ラチェットソケットにより弾性部材、歯環盤及び密封蓋を組み合わせ、操作中のラチェットソケットの歯列を各歯環盤の列歯と安定して噛み合わせることができ、且つギア滑り音を発生し、使用者に方向転換の状況を認識させることができ、更に全体の重量を軽減し、組み立てを便利にし、操作を簡易にする。
【図面の簡単な説明】
【００２１】
【図１】本発明の立体説明図である。
【図２】本発明の第１実施例の分解説明図である。
【図３】本発明の第１実施例の歯列と列歯がギア滑り状態の説明図である。
【図４】本発明の第１実施例の歯列と列歯が互いに噛み合った状態の動作説明図である。
【図５】本発明の第２実施例の分解立体説明図である。
【図６】本発明の第２実施例の歯列と列歯がギア滑り状態の説明図である。
【図７】本発明の第２実施例の歯列と列歯が互いに噛み合った状態の動作説明図である。
【図８】本発明のリング部の歯列の第３実施例の立体説明図である。
【図９】本発明のリング部の歯列の第４実施例の立体説明図である。
【発明を実施するための形態】
【００２２】
本発明が上記目的及び効果を達成できることを明確に説明するため、本発明のラチェット工具のラチェット噛み合わせ装置が採用する技術手段及び達成できる効果について、好適実施例を挙げ、図面を合わせて詳細を説明する。
【００２３】
以下は好適実施形態により説明し、且つ本発明に対して如何なる形式上の制限を行うものではなく、本発明は、２種の異なる実施例を有し、それぞれ説明し、先ず、図１〜図４が示す第１実施例を参照し、本発明のラチェット工具のラチェット噛み合わせ装置は、一端が組孔１１を貫通設置するラチェットレンチ体１と、ラチェットレンチ体１の組孔１１内に取り付けられ、ラチェットソケット２１、少なくとも１つの歯環盤２２、少なくとも１つの弾性部材２３及び少なくとも１つの密封蓋２４を含む係止部材２と、を含み、そのうち、該ラチェットソケット２１は、上面から底面まで貫通する駆動孔２１１を設け、且つラチェットソケット２１外周側にリング部２１２を凸伸し、該リング部２１２の上、底両側中の何れか一側に歯列３を更に環状に凸設し、該少なくとも１つの歯環盤２２は、ラチェットソケット２１に被せ設けられ、且つ対応するリング部２１２は、歯列３の一側に設けられ、該少なくとも１つの歯環盤２２が歯列３の一側に対応して更に列歯４を設け、該列歯４は、互いに対応する歯列３と相互と噛み合い、該少なくとも１つの密封蓋２４は、ラチェットソケット２１に被せ設けられ、且つ該少なくとも１つの歯環盤２２に対応し、該少なくとも１つの密封蓋２４は、組孔１１の孔口を遮閉し、該少なくとも１つの弾性部材２３は、ラチェットソケット２１に取り付けられ且つ歯環盤２２の一端に設けられ、該少なくとも１つの弾性部材２３の両端は、それぞれ密封蓋２４及び歯環盤２２に弾性係止され、歯環盤２２の列歯４を弾性係止し、リング部２１２の歯列３と噛み合い、そのうち、ラチェットソケット２１により弾性部材２３、歯環盤２２及び密封蓋２４を組み合わせ、操作中のラチェットソケット２１の歯列３を各歯環盤２２の列歯４と安定して噛み合わせることができ、且つギア滑り音を発生し、使用者に方向転換の状況を認識させることができ、更に全体の重量を軽減し、組み立てを便利にし、操作を簡易にする。
【００２４】
また、図５〜図７に示す第２実施例を参照し、それと第１実施例と異なる箇所は、各部材の数量にあり（ラチェットレンチ体１は同じ構造であり、ここでは、別途区別しない説明を援用する）、従って各部材の数量は、更に、ラチェットソケット５、２つのリング状の歯環盤６、２つの弾性部材７及び２つのリング状の密封蓋８であり、そのうち、該ラチェットソケット５は、上面から底面まで貫通する駆動孔５１を設け、該駆動孔５１内壁は、星状を呈し（図２に示すように、異なる角数の螺子、ナット及びスリーブに合わせられるが、駆動孔５１内壁の形状を制限するものではない）、該ラチェットソケット５外周側にリング部５２を凸伸し、該リング部５２の上、底両側面でそれぞれ歯列９を環状に凸設し、各歯列９の歯の方向は、ラチェットソケット５の外壁面と垂直を呈して向き合うように設計され、各歯環盤６は、それぞれラチェットソケット５の両端に被せ設けられ、且つ各歯環盤６は、各歯列９の一側に対応して列歯１０を更に環設し、各列歯１０の設置方向は、歯列９の方向と同じであり、各列歯１０は、対応する歯列９と相互に噛み合い、また、各密封蓋８は、ラチェットソケット５の両端に被せ設けられ、ラチェットレンチ体１の組孔１１両端の孔口を遮閉し、ラチェットソケット５と歯環盤６の離脱を回避する。各弾性部材７は、それぞれラチェットソケット５の両端に取り付けられ、且つ各弾性部材７の両端は、それぞれ同一側の密封蓋８及び歯環盤６に弾性的に係止し、歯環盤６の歯列１０を弾性係止しリング部５２の歯列９と噛み合わされる。そのうち、ラチェットソケット５は、上下弾性部材７、歯環盤６及び密封蓋８を組み合わせ、操作中のラチェットソケット５の歯列９及び各歯環盤６の列歯１０を安定して噛み合わせることができ、且つギア滑り音を発生して使用者に変換方向の状況を認識させることができ、更に全体の重量、組み立ての便利及び操作の簡易さを達成する。
【００２５】
前記は、本発明の実施例の主な技術特徴であり、それは、本願の請求項１の内容に対応し、本発明の目的及び実施形態を詳細に理解でき、その残りは、従属請求項に記載の技術特徴は、請求項１の内容に対する記載又は付加技術特徴であり、請求項１の限定範囲を制限することに用いるものではなく、本願の請求項１は、その他の従属項に記載の技術特徴を必ずしも含まなければならないものはない。
【００２６】
使用者が手動工作部材（螺子、ナット、スリーブ）の取り付けを行い、更に、取り外し、締め付けの動作を行う時、第２実施例では、ラチェットソケット５に被せ設ける弾性部材７の弾性によって歯環盤６をリング部５２へ押して受力させ、歯環盤６上の列歯１０をリング部５２の歯列９と完全に噛み合わせさせ、このほか、リング部５２の上底両側何れにも歯列９を設け、設置される歯環盤６を組み合わせ、使用者にラチェットレンチ体１がどちらかの側に反転する時、手動工作部材を被せ設けることができ、取り外し、締め付けの目的を達成し、また、図７に示すように、ラチェットソケット５の歯列９を介して歯環盤６の列歯１０の噛み合わせ方式によって、構造上の組成を大幅に現象することができ、これにより、レンチ全体の重量を低減し、簡易な組み立て、操作の便利等の利点を達成し、図５〜図７に示すとおりである。
【００２７】
以下に本発明の第２実施例により更に細部の特徴を説明し、図５〜図７を補助として参照し、本発明の第２実施例のラチェットソケット５のリング部５２の歯列９の設計は、主に２種の形態を有し、その一は、図７に示す世に、該リング部５１の各歯列９が、複数の歯ブロック９１が相互に並列配列されて構成され、各歯ブロック９１は、直角三角形を呈し、リング部５２の設計に沿ってラチェットソケット５の外周側を囲い、また、各歯ブロック９１の並列配列接続は、複数のピーク山９１１及び複数のピーク谷９１２を形成し、各ピーク山９１１及び各ピーク谷９１２は、間隔を呈して配列され（即ち、ピーク谷９１２、ピーク山９１１、ピーク谷９１２、ピーク山９１１の順に配列）、また、上、底の各歯列９の各歯ブロック９１は、相互に揃えられて設置され、上、底の歯列９の歯ブロック９１は、上下に揃えられ、各１つのリング部５２上側のピーク山９１１は、各リング部５２底側に位置するピーク山９１１に対応し、これに対して、リング部５２上側に位置する各ピーク谷９１２は、リング部５２底側の各ピーク谷９１２に対応し、この設計によりラチェットソケット５両端の歯環盤６を同期回転させることができる。
【００２８】
その二は、図８に示すように、第３実施例の第２実施例と異なる箇所は、リング部５２の上、底歯列９が互いに揃っておらず、互い違いに対応を呈することにあり、即ち、リング部５２上側の各歯ブロック９１が形成する各ピーク山９１１は、底側の各歯ブロック９１が形成する各ピーク谷９１２に対応し、これに対して、リング部５２上側の各歯ブロック９１が形成する各ピーク谷９１２は、底側の各歯ブロック９１が形成する各ピーク山９１１に対応し、上、底が互い違いの方式の設計によって操作時のギア滑りの音を増加し、使用者にラチェットソケット５の回転方向を認識させる。
【００２９】
上記第２実施例が挙げる異なる形態において、そのリング部５２の上、底両側の各歯ブロック９１は、同一方向へ向き、即ち、各歯ブロック９１が有する斜面は、同一方向へ向くか、又はリング部５２の上、底側の各歯ブロック９１が異なる方向へ向き、ス暗和知、各歯ブロック９１が有する斜面が相反する方向へ向けて設置され、図９に示すように、各歯ブロック９１の向き合わせの変化は、ラチェットソケット５の両端の歯環盤６の回転方向を変化させ、操作上の円滑性及び方向性に影響を及ぼさない。また、使用者に、ラチェットレンチ体１で手動工作部材を駆動する過程において、ラチェットソケット５両側に位置する弾性部材７がギア滑り後の復位を安定して維持できるようにし、弾性部材７が離脱して歯環盤６とラチェットソケット５の間の噛み合わせ動作に影響を及ぼすことを回避し、従って、各歯環盤６が弾性部材の弾性係止に対応して更に位置決めリング６１を凸設し、各歯環盤６上の位置決めリング６１は、リング状を呈し、且つその外周側と歯環盤６が直角を呈して設置され、故に弾性部材７の一端は、互いに対応する位置決めリング６１被さって固定でき、弾性部材７がラチェットレンチ体１を受けて手動工作部材を駆動する時に歯環盤６の弾性係止から離脱することを回避し、歯環盤６とリング部５２の歯列９の間の噛み合わせ動作の安定した弾性係止を持続し、図５に示すようである。
【００３０】
一般の市場のレンチは、何れも蓋を有し、内部の比較的小さく離脱して遺失し易い部品を遮閉し、更に螺子を蓋に通過させてレンチに固定し、この方式の組み立ては、内部部品が容易に離脱しないように確保できるが、螺子の螺合のためにレンチの重量を増加し、従って、本発明は、内部の部品を固定し、且つレンチの重量を増加させないために、第２実施例により説明し、ラチェットレンチ体１の組孔１１内壁且つ両端の孔口付近箇所に更にそれぞれ凹溝１２を凹設し、各密封蓋８の外周側の対応凹溝１２は、嵌合溝８１を環状に凹設し、また、各密封蓋８がラチェットレンチ体１の組孔１１に被さり合う時、２つのバックル１００を更に設け、それぞれ組孔１１の凹溝１２及び密封蓋８の嵌合溝８１に嵌合し、各バックル１００の設置は、一側が組孔１１の凹溝１２内に挿入され、局部が凹溝１２に露出し、密封蓋８の取り付けは、各バックル１００の露出した部分が嵌合溝８１内に嵌合され、これにより密封蓋８をラチェットレンチ体１の組孔１１に確実に位置決め取り付けできるようにし、内部部品の離脱を防止し、また、各バックル１００の設計は、Ｃ字状であり（本発明は、バックル１００の設計において主に密封蓋８を組孔１１に固定することに用いられ、その形状を制限するものではない）、適当な弾性圧縮を有し、螺子を介した螺合に比較し、一定の靭性及び軽量の効果を有し、このように、レンチ全体の重量を大幅に軽減し、図５に示すようである（第１実施例は、図２に示すようであり、密封蓋２４周側に嵌合溝２４１を凹設することを実施形態とする）。
【００３１】
更に提示すべきこととして、本発明は、上記の第２実施例で説明する２種の異なる形態において、使用者にラチェットソケット５を操作させる過程において、歯環盤６が自転して列歯１０と歯列９の噛み合わせを不完全にし、空回りの問題を招くことがなく、従って、該ラチェットレンチ体１の組孔１１内壁は、更に複数の弧溝１３を凹設し、各弧溝１３は組孔１１の孔壁に沿って相互に接続され、梅花状を形成し、歯環盤６の設計は、外周側の対応する各弧溝１３が対応する弧凸ブロック６２を凸設し、該歯環盤６は、各弧凸ブロック６２及び各弧溝１３の間の嵌合設置によって、歯環盤６が組孔１１に相対して自転を発生して列歯１０と歯列９の間の噛み合わせ関係に影響を及ぼすことを防止し、更に、確実な噛み合わせで手動工作部材の回転の締め付け及び取り外しを達成し、図５に示すとおりである（第１実施例は、第２実施例を援用し、図２に示すように歯環盤２２の対応する各弧溝１３は、相対する弧凸ブロック２２１を凸設することを実施形態とする）。
【００３２】
上記本発明の説明によって、使用者は、ラチェットソケット２１，５により手動工作部材を取り外し及び締め付ける時、各弾性部材２３，７の弾性力を利用し、歯環盤２２，６をラチェットソケット２１，５へ押圧し、歯環盤２２，６に位置する列歯４，１０をリング部２１２，５２の歯列３，９に完全に噛み合わせることができ、噛み合わせの方式により操作時のトルクを平均的に分散し、歯列３，９、列歯４，１０の使用時間を維持し、淘汰のコストを低減する。このほか、歯列３，９及び列歯４，１０の間で噛み合わせた後にギア滑りの動作で発生する音が生じることにより、使用者にラチェットソケット２１，５の回転方向を認識させ、作業上で認識する時間を減少し、上記の説明のように、本発明及び従来技術の比較において、一定の進歩性を有し、且つ社会大衆の使用に適合する。
【００３３】
なお、本発明では好ましい実施例を前述の通り開示したが、これらは決して本発明に限定するものではなく、当該技術を熟知する者なら誰でも、本発明の精神と領域を脱しない均等の範囲内で各種の変動や潤色を加えることができることは勿論である。
【符号の説明】
【００３４】
１  ラチェットレンチ体
１１  組孔
１２  凹溝
１３  弧溝
２  係止部材
１００  バックル
(第１実施例)
２１  ラチェットソケット
２１１  駆動孔
２１２  リング部
２２  歯環盤
２２１  弧凸ブロック
２３  弾性部材
２４  密封蓋
２４１  嵌合溝
３  歯列
４  列歯
（第２実施例）
５  ラチェットソケット
５１  駆動孔
５２  リング部
６  歯環盤
６１  位置決めリング
６２  弧凸ブロック
７  弾性部材
８  密封蓋
８１  嵌合溝
９  歯列
９１  歯ブロック
１０  列歯
９１１  ピーク山
９１２  ピーク谷
【図１】
2017511261.tif 000003
【図２】
2017511261.tif 000004
【図３】
2017511261.tif 000005
【図４】
2017511261.tif 000006
【図５】
2017511261.tif 000007
【図６】
2017511261.tif 000008
【図７】
2017511261.tif 000009
【図８】
2017511261.tif 000010
【図９】
2017511261.tif 000011
【国際調査報告】
2017511261.tif 000012
2017511261.tif 000013
2017511261.tif 000014
2017511261.tif 000015